【手続補正書】
【提出日】平成17年1月18日(2005.1.18)
【手続補正１】
【補正対象書類名】明細書
【補正対象項目名】特許請求の範囲
【補正方法】変更
【補正の内容】
【特許請求の範囲】
【請求項１】
楽音の割り当てがそれぞれ可能であるとともに、操作に応じて割り当てられている楽音の再生開始を指示する複数の第１の操作子と、
楽音または楽音を指し示すポインタを記憶可能な記憶手段と、
前記複数の第１の操作子の中からいずれかの第１の操作子を選択し、前記選択した第１の操作子に既に割り当てられていた楽音の前記選択した第１の操作子への割り当てを解除するとともに、前記選択した第１の操作子に既に割り当てられていた楽音または前記選択した第１の操作子に既に割り当てられていた楽音を指し示すポインタを前記記憶手段に記憶する第１の制御手段と、
前記記憶手段に記憶された楽音または前記記憶手段に記憶されたポインタの指し示す楽音を、前記複数の第１の操作子の中からいずれかの第１の操作子を選択して割り当てる第２の制御手段と
を有する電子楽器。
【請求項２】
請求項１に記載の電子楽器において、
前記複数の第１の操作子への楽音の割り当てのパターンが複数設けられているとともに、いずれかのパターンを選択可能であり、
前記第２の制御手段は、いずれかのパターンにおいて前記第１の制御手段により割り当て解除された楽音を、任意のパターンにおいて前記複数の第１の操作子の中からいずれかの第１の操作子を選択して割り当てることを可能とする
電子楽器。
【請求項３】
楽音の割り当てがそれぞれ可能であるとともに、操作に応じて割り当てられている楽音の再生開始を指示する複数の第１の操作子と、
一時的に楽音の割り当てが可能な第２の操作子と、
前記複数の第１の操作子の中からいずれかの第１の操作子を選択し、前記選択した第１の操作子に既に割り当てられていた楽音の前記選択した第１の操作子への割り当てを解除するとともに、前記選択した第１の操作子に既に割り当てられていた楽音を前記第２の操作子に割り当てる第１の制御手段と、
前記第１の制御手段により前記第２の操作子に割り当てられた楽音を、前記複数の第１の操作子の中からいずれかの第１の操作子を選択して割り当てる第２の制御手段と
を有する電子楽器。
【請求項４】
請求項３に記載の電子楽器において、
前記複数の第１の操作子への楽音の割り当てのパターンが複数設けられているとともに、いずれかのパターンを選択可能であり、
前記第２の制御手段は、いずれかのパターンにおいて前記第１の制御手段により割り当て解除されるとともに前記第２の操作子に割り当てられた楽音を、任意のパターンにおいて前記複数の第１の操作子の中からいずれかの第１の操作子を選択して割り当てることを可能とする
電子楽器。
【請求項５】
請求項３に記載の電子楽器において、
前記第２の操作子は、操作に応じて割り当てられている楽音の再生開始指示を行う
ものである電子楽器。
【請求項６】
請求項３に記載の電子楽器において、
前記第２の制御手段は、前記第１の制御手段により前記第２の操作子に割り当てられた楽音を、前記複数の第１の操作子の中からいずれかの第１の操作子を選択して割り当てると、前記第２の操作子に割り当てられていた楽音の前記第２の操作子への割り当てを解除する
ものである電子楽器。
【請求項７】
請求項３に記載の電子楽器において、さらに、
前記複数の第１の操作子にそれぞれ楽音が割り当てられているか否かを表示するとともに、前記第２の操作子に楽音が割り当てられているか否かを表示する表示手段
を有する電子楽器。
【手続補正２】
【補正対象書類名】明細書
【補正対象項目名】０００８
【補正方法】変更
【補正の内容】
【０００８】
【課題を解決するための手段】
上記目的を達成するために、本発明のうち請求項１に記載の発明は、楽音の割り当てがそれぞれ可能であるとともに、操作に応じて割り当てられている楽音の再生開始を指示する複数の第１の操作子と、楽音または楽音を指し示すポインタを記憶可能な記憶手段と、上記複数の第１の操作子の中からいずれかの第１の操作子を選択し、上記選択した第１の操作子に既に割り当てられていた楽音の上記選択した第１の操作子への割り当てを解除するとともに、上記選択した第１の操作子に既に割り当てられていた楽音または上記選択した第１の操作子に既に割り当てられていた楽音を指し示すポインタを上記記憶手段に記憶する第１の制御手段と、上記記憶手段に記憶された楽音または上記記憶手段に記憶されたポインタの指し示す楽音を、上記複数の第１の操作子の中からいずれかの第１の操作子を選択して割り当てる第２の制御手段とを有するようにしたものである。
従って、本発明のうち請求項１に記載の発明によれば、第１の操作子のいずれかに割り当てられている波形データを、いずれか他の第１の操作子に容易に割り当てることができる。
【手続補正３】
【補正対象書類名】明細書
【補正対象項目名】０００９
【補正方法】変更
【補正の内容】
【０００９】
ここで、例えば、本発明のうち請求項２に記載の発明のように、上記複数の第１の操作子への楽音の割り当てのパターンが複数設けられているとともに、いずれかのパターンを選択可能であり、上記第２の制御手段は、いずれかのパターンにおいて上記第１の制御手段により割り当て解除された楽音を、任意のパターンにおいて上記複数の第１の操作子の中からいずれかの第１の操作子を選択して割り当てることを可能とするようにしてもよい。
【手続補正４】
【補正対象書類名】明細書
【補正対象項目名】００１０
【補正方法】変更
【補正の内容】
【００１０】
また、本発明のうち請求項３に記載の発明は、楽音の割り当てがそれぞれ可能であるとともに、操作に応じて割り当てられている楽音の再生開始を指示する複数の第１の操作子と、一時的に楽音の割り当てが可能な第２の操作子と、上記複数の第１の操作子の中からいずれかの第１の操作子を選択し、上記選択した第１の操作子に既に割り当てられていた楽音の上記選択した第１の操作子への割り当てを解除するとともに、上記選択した第１の操作子に既に割り当てられていた楽音を上記第２の操作子に割り当てる第１の制御手段と、上記第１の制御手段により上記第２の操作子に割り当てられた楽音を、上記複数の第１の操作子の中からいずれかの第１の操作子を選択して割り当てる第２の制御手段とを有するようにしたものである。
従って、本発明のうち請求項３に記載の発明によれば、第１の操作子のいずれかに割り当てられている楽音を、第２の操作子に一時的に割り当てておき、第２の操作子に一時的に割り当てておいた楽音を第１の操作子のいずれかに容易に割り当てることができる。
【手続補正５】
【補正対象書類名】明細書
【補正対象項目名】００１１
【補正方法】変更
【補正の内容】
【００１１】
ここで、例えば、本発明のうち請求項４に記載の発明のように、上記複数の第１の操作子への楽音の割り当てのパターンが複数設けられているとともに、いずれかのパターンを選択可能であり、上記第２の制御手段は、いずれかのパターンにおいて上記第１の制御手段により割り当て解除されるとともに上記第２の操作子に割り当てられた楽音を、任意のパターンにおいて上記複数の第１の操作子の中からいずれかの第１の操作子を選択して割り当てることを可能とするようにしてもよい。
【手続補正６】
【補正対象書類名】明細書
【補正対象項目名】００１２
【補正方法】変更
【補正の内容】
【００１２】
また、上記第２の操作子は、例えば、本発明のうち請求項５に記載の発明のように、操作に応じて割り当てられている楽音の再生開始指示を行うものとすることができる。
【手続補正７】
【補正対象書類名】明細書
【補正対象項目名】００１３
【補正方法】変更
【補正の内容】
【００１３】
また、上記第２の制御手段は、例えば、本発明のうち請求項６に記載の発明のように、上記第１の制御手段により上記第２の操作子に割り当てられた楽音を、上記複数の第１の操作子の中からいずれかの第１の操作子を選択して割り当てると、上記第２の操作子に割り当てられていた楽音の上記第２の操作子への割り当てを解除するものとすることができる。
【手続補正８】
【補正対象書類名】明細書
【補正対象項目名】００１４
【補正方法】変更
【補正の内容】
【００１４】
また、例えば、本発明のうち請求項７に記載の発明のように、さらに、上記複数の第１の操作子にそれぞれ楽音が割り当てられているか否かを表示するとともに、上記第２の操作子に楽音が割り当てられているか否かを表示する表示手段を有するようにしてもよい。